(57)【特許請求の範囲】
【請求項１】
無線ユーザ機器（ＵＥ）装置において動作可能な方法であって、
該無線ユーザ機器装置上のデータベース構造にネットワーク情報を格納することであって、該データベース構造は、複数の異なるエンティティによって制御される複数のデータ構造を含み、該ネットワーク情報は、無線アクセス技術によって配列された複数のネットワークエントリを含み、各ネットワークエントリは、該ネットワークエントリに関連付けられた無線アクセスネットワーク（ＲＡＮ）識別コードおよびコアネットワーク（ＣＮ）識別コードを含み、各ネットワークエントリは、該無線アクセス技術内の優先順位を有する、ことと、
該複数のデータ構造の使用のための優先順位を決定することと、
無線アクセス技術の現在の好ましい順位を決定することと、
無線アクセス技術の該現在の好ましい順位と該無線アクセス技術内のネットワークエントリの該優先順位とに従って、ネットワークエントリを選択することと
を包含する、方法。
【請求項２】
前記複数のネットワークエントリが、好ましいネットワークを含む、請求項１に記載の方法。
【請求項３】
前記複数のネットワークエントリが、禁止されたネットワークを含む、請求項１に記載の方法。
【請求項４】
前記複数のネットワークエントリが、好ましいネットワークおよび禁止されたネットワークの両方を含む、請求項１に記載の方法。
【請求項５】
前記複数のデータ構造のうちの１つは、オペレータ制御される、請求項１に記載の方法。
【請求項６】
前記複数のデータ構造のうちの１つは、企業制御される、請求項１に記載の方法。
【請求項７】
前記複数のデータ構造のうちの１つは、ユーザ制御される、請求項１に記載の方法。
【請求項８】
無線アクセス技術の前記現在の好ましい順位を決定する際にポリシーを適用することをさらに包含する、請求項１に記載の方法。
【請求項９】
企業ポリシーが、企業の敷地付近の所与のＷＬＡＮの使用を禁止する、請求項７に記載の方法。
【請求項１０】
無線ユーザ機器（ＵＥ）装置であって、
メモリおよび送受信器に動作可能に結合されているプロセッサと、
該無線ユーザ機器装置上のデータベース構造にネットワーク情報を格納するロジックモジュールであって、該データベース構造は、複数の異なるエンティティによって制御される複数のデータ構造を含み、該ネットワーク情報は、無線アクセス技術によって配列された複数のネットワークエントリを含み、各ネットワークエントリは、該ネットワークエントリに関連付けられた無線アクセスネットワーク（ＲＡＮ）識別コードおよびコアネットワーク（ＣＮ）識別コードを含み、各ネットワークエントリは、該無線アクセス技術内の優先順位を有する、ロジックモジュールと、
該複数のデータ構造の使用のための優先順位を決定するロジックモジュールと、
無線アクセス技術の現在の好ましい順位を決定するロジックモジュールと、
無線アクセス技術の該現在の好ましい順位と該無線アクセス技術内のネットワークエントリの該優先順位とに従って、ネットワークエントリを選択するロジックモジュールと
を含み、
該ロジックモジュールは、ハードウェアかファームウェアか該メモリ上に格納されたソフトウェアかのいずれかで具体化される、無線ユーザ機器（ＵＥ）装置。
【請求項１１】
前記複数のネットワークエントリが、好ましいネットワークを含む、請求項１０に記載の無線ＵＥ装置。
【請求項１２】
前記複数のネットワークエントリが、禁止されたネットワークを含む、請求項１０に記載の無線ＵＥ装置。
【請求項１３】
前記複数のネットワークエントリが、好ましいネットワークおよび禁止されたネットワークの両方を含む、請求項１０に記載の無線ＵＥ装置。
【請求項１４】
前記複数のデータ構造のうちの１つは、企業制御される、請求項１０に記載の無線ＵＥ装置。
【請求項１５】
前記複数のデータ構造のうちの１つは、オペレータ制御される、請求項１０に記載の無線ＵＥ装置。
【請求項１６】
前記複数のデータ構造のうちの１つは、異なるエンティティの制御下で動作する複数の構造を含む、請求項１０に記載の無線ＵＥ装置。
【請求項１７】
無線アクセス技術の前記現在の好ましい順位を決定する際にポリシーを適用するロジックモジュールをさらに含む、請求項１０に記載の無線ＵＥ装置。
【請求項１８】
企業ポリシーが、企業の敷地付近の所与のＷＬＡＮの使用を禁止する、請求項１０に記載の無線ＵＥ装置。
【発明の詳細な説明】
【技術分野】
【０００１】
（関連出願の参照）
本出願は、以下の、Ａｄｒｉａｎ  Ｂｕｃｋｌｅｙ、Ｐａｕｌ  Ｃａｒｐｅｎｔｅｒ、Ｎｉｃｈｏｌａｓ  Ｐ．  Ａｌｆａｎｏ、およびＡｎｄｒｅｗ  Ａｌｌｅｎらの名において、これ（代理人整理番号第１４００−１０３６ＵＳ）において、同日の日付にて出願された、共有される同時係属の米国特許出願、「ＮＥＴＷＯＲＫ  ＳＥＬＥＣＴＩＯＮ  ＳＣＨＥＭＥ  ＵＳＩＮＧ  Ａ  ＲＯＡＭＩＮＧ  ＢＲＯＫＥＲ（ＲＢ）」において開示された主題に関連する主題を開示する。
【０００２】
本特許出願開示は、一般に、通信ネットワークに関する。より詳細には、および、いかなる限定をも付すものではないが、本特許出願は、ネットワーク広告ブローカ（ＮＡＢ）などのブローカ・エンティティを介してネットワーク広告情報を提供するスキームに関する。
【背景技術】
【０００３】
無線ネットワークが配置される場合、サービスを得たい無線ユーザ装備（ＵＥ）装置が無線ネットワークを識別することができるように、識別子をブロードキャストする必要がある。通常の実施においては、単一のブロードキャスト識別子が提供される。しかしながら、構成要素である、無線アクセスネットワーク（ＲＡＮ）、コアネットワーク（ＣＮ）、およびサービスネットワーク（ＳＮ）はセグメント化され、個々に識別されるが、そのような技術は、相当に不十分になってきている。
【発明の概要】
【課題を解決するための手段】
【０００４】
（概要）
一つ以上の無線アクセスネットワーク（ＲＡＮ）と、一つ以上のコアネットワーク（ＣＮ）と、一つ以上のサービスネットワーク（ＳＮ）とを有するネットワーク環境においてネットワーク広告情報を取得するためのスキームが提供される。無線ユーザ装備（ＵＥ）装置による、適用可能なＲＡＮ−ＣＮ−ＳＮの組み合わせの発見および次のネットワーク選択を容易にするために、コードの組み合わせが、無線ＵＥ装置に提供される。
【０００５】
一実施形態では、本開示は、一つ以上のＲＡＮと、一つ以上のＣＮと、一つ以上のＳＮとを有するネットワーク環境において動作可能なネットワーク広告方法に向けられている。その方法は、関連のブロードキャスト制御チャネル上の各ＲＡＮによって広告メッセージをブロードキャストすることであって、その広告メッセージは、識別コードの組み合わせを含み、各組み合わせは、（ｉ）無線ＵＥ装置に利用可能な特定のＲＡＮの各々に関連した識別コードと、（ｉｉ）特定のＲＡＮにサポートされるＣＮに関連した識別コードと、（ｉｉｉ）特定のＣＮにサポートされるＳＮに関連した識別コードとを含む、ブロードキャストすることと；識別コードの組み合わせの少なくとも一部に基づいたネットワーク選択を容易にするために、スキャン手順において、無線ＵＥ装置によって各広告メッセージを受信することとを含む。
【０００６】
別の実施形態では、本開示は、一つ以上のＲＡＮと、一つ以上のＣＮと、一つ以上のＳＮとを有するネットワーク環境において動作可能なネットワーク広告システムに向けられている。そのシステムは、無線ＵＥ装置による受信用のブロードキャスト制御チャネル上の広告メッセージをブロードキャストする、各ＲＡＮに関連した手段と；識別コードの組み合わせを広告メッセージに含める手段であって、各組み合わせは、（ｉ）無線ＵＥ装置に利用可能な特定のＲＡＮの各々に関連した識別コードと、（ｉｉ）特定のＲＡＮにサポートされるＣＮに関連した識別コードと、（ｉｉｉ）特定のＣＮにサポートされるＳＮに関連した識別コードとを含む、手段とを備える。
【０００７】
さらなる実施形態では、本開示は、ネットワーク環境においてネットワーク広告情報を取得する方法に向けられている。その方法は、利用可能な無線アクセスネットワークを発見するために、一周波数バンドにおいて、無線ＵＥ装置によってスキャンすることと；特定のＲＡＮを選択すると、認証サーバを用いて無線ＵＥ装置によって認証することと；認証が成功すると、ドメインネームサーバ（ＤＮＳ）からネットワーク広告ブローカ（ＮＡＢ）のインターネットプロトコル（ＩＰ）アドレスを取得することと；ＩＰアドレスを用いて、無線ＵＥ装置によってＮＡＢに接触することと；ＮＡＢからネットワーク広告情報を取得することとを含む。
【０００８】
さらに別の実施形態では、本開示は、ネットワーク環境においてネットワーク広告情報を取得するシステムに向けられている。そのシステムは、利用可能な無線アクセスネットワークを発見するために、一周波数バンドにおいてスキャンする無線ＵＥ装置に関連した手段と；認証サーバを用いて無線ＵＥ装置を認証する手段と；ＤＮＳからＮＡＢのＩＰアドレスを取得する、無線ＵＥ装置の認証の成功に応答して動作可能な手段と；ＩＰアドレスを使用してＮＡＢに接触し、ＮＡＢからネットワーク広告情報を取得する、無線ＵＥ装置に関連した手段とを備える。
【０００９】
本発明は、さらに以下の手段を提供する。
【００１０】
（項目１）
関連のブロードキャスト制御チャネル上の各無線アクセスネットワーク（ＲＡＮ）によって広告メッセージをブロードキャストすること（４０６−１〜４０６−Ｎ）であって、該広告メッセージは、相互接続された配列（ａｒｒａｎｇｅｍｅｎｔ）に配置された、一つ以上の無線アクセスネットワーク（ＲＡＮ  ２０８−１〜２０８−３）と、一つ以上の無線コアネットワーク（ＣＮ  ２１０−１〜２１０−３）と、一つ以上の無線サービスネットワーク（ＳＮ  ２１２−１〜２１２−３）とに対応する複数の識別コードの組み合わせを含む、ブロードキャストすることと、
該識別コードの組み合わせの少なくとも一部に基づいたネットワーク選択を容易にするために、スキャン手順において、無線ユーザ装備（ＵＥ）装置（１０２）によって各広告メッセージを受信すること（４０８−１〜４０８−Ｎ）と
を包含する、ネットワーク環境（２００）において実行可能なネットワーク広告方法。
【００１１】
（項目２）
上記組み合わせが、（ｉ）上記無線ＵＥ装置（１０２）に利用可能な特定の上記ＲＡＮの各々に関連した識別コードと、（ｉｉ）該特定のＲＡＮにサポートされる無線コアネットワーク（ＣＮ）に関連した識別コードと、（ｉｉｉ）特定のコアネットワークにサポートされる無線サービスネットワーク（ＳＮ）に関連した識別コードとを含む、項目１に記載の、ネットワーク環境（２００）において実行可能なネットワーク広告方法。
【００１２】
（項目３）
上記広告メッセージが、ＲＡＮと、無線ＣＮと、無線ＳＮとのうちの少なくとも１つにサポートされるサービスの表示をさらに含む、項目１または２に記載の、ネットワーク環境（２００）において実行可能なネットワーク広告方法。
【００１３】
（項目４）
上記識別コードの組み合わせが、ネットワーク広告ブローカ（ＮＡＢ）（２１４）によって上記ＲＡＮに提供される、項目１〜３のいずれか一項に記載の、ネットワーク環境（２００）において実行可能なネットワーク広告方法。
【００１４】
（項目５）
上記ＮＡＢ（２１４）が、ＲＡＮセグメント（２０２）と、無線コアネットワークセグメント（２０４）と、無線サービスネットワークセグメント（２０６）と、パブリック・パケット交換型インターネットプロトコル（ＩＰ）ネットワーク（２１６）とのうちの少なくとも１つに関連する、項目４に記載の、ネットワーク環境（２００）において実行可能なネットワーク広告方法。
【００１５】
（項目６）
無線ユーザ装備（ＵＥ）装置（１０２）によるスキャンを介して発見された特定の無線アクセスネットワーク（ＲＡＮ）を選択すると、認証サーバ（５０４）を用いて該無線ＵＥ装置（１０２）によって認証すること（５０８）と、
該認証（５０８）が成功すると、インターネットプロトコル（ＩＰ）アドレスを用いて該無線ＵＥ装置（１０２）によってネットワーク広告ブローカ（ＮＡＢ）（２１４）に接触すること（５１４）と、および該ＮＡＢ（２１４）からネットワーク広告情報を取得することであって、該ネットワーク広告情報は、相互接続された配列に配置された、一つ以上の無線アクセスネットワーク（ＲＡＮ  ２０８−１〜２０８−３）と、一つ以上の無線コアネットワーク（ＣＮ  ２１０−１〜２１０−３）と、一つ以上の無線サービスネットワーク（ＳＮ  ２１２−１〜２１２−３）とに対応する複数の識別コードの組み合わせを含む、取得することと
を包含する、ネットワーク環境（２００）においてネットワーク広告情報を取得する方法。
【００１６】
（項目７）
上記組み合わせが、（ｉ）上記無線ＵＥ装置（１０２）に利用可能な各ＲＡＮに関連した識別コードと、（ｉｉ）該ＲＡＮにサポートされる無線コアネットワーク（ＣＮ）に関連した識別コードと、（ｉｉｉ）特定の無線コアネットワークにサポートされる無線サービスネットワーク（ＳＮ）に関連した識別コードとのうちの少なくとも１つを含む、項目６に記載の、ネットワーク環境（２００）においてネットワーク広告情報を取得する方法。
【００１７】
（項目８）
上記ネットワーク広告情報が、ＲＡＮと、無線ＣＮと、無線ＳＮとのうちの少なくとも１つにサポートされるサービスの表示をさらに含む、項目６または７に記載の、ネットワーク環境（２００）においてネットワーク広告情報を取得する方法。
【００１８】
（項目９）
上記ＮＡＢが、ＲＡＮセグメント（２０２）と、無線コアネットワークセグメント（２０４）と、無線サービスネットワークセグメント（２０６）と、パブリック・パケット交換型インターネットプロトコル（ＩＰ）ネットワーク（２１６）とのうちの少なくとも１つに関連する、項目６〜８のいずれか一項に記載の、ネットワーク環境（２００）においてネットワーク広告情報を取得する方法。
【００１９】
（項目１０）
上記スキャンが一つ以上の周波数バンドにおいて実行される、項目６〜９のいずれか一項に記載の、ネットワーク環境（２００）においてネットワーク広告情報を取得する方法。
【００２０】
（項目１１）
上記スキャンが一つ以上の無線アクセス技術において実行される、項目６〜１０のいずれか一項に記載のネットワーク環境（２００）においてネットワーク広告情報を取得する方法。
【００２１】
（項目１２）
上記スキャンが、上記無線ＵＥ装置（１０２）によって、最初のスキャンプロセスとして実行される、項目６〜１１のいずれか一項に記載の、ネットワーク環境（２００）においてネットワーク広告情報を取得する方法。
【００２２】
（項目１３）
上記スキャンが、上記無線ＵＥ装置（１０２）によって、バックグラウンドのスキャンプロセスとして実行される、項目６〜１１のいずれか一項に記載の、ネットワーク環境（２００）においてネットワーク広告情報を取得する方法。
【００２３】
（項目１４）
上記無線ＵＥ装置（１０２）の地理的位置に基づいて、上記ネットワーク広告情報をカスタマイズすることをさらに包含する、項目６〜１３のいずれか一項に記載の、ネットワーク環境（２００）においてネットワーク広告情報を取得する方法。
【００２４】
（項目１５）
上記ＮＡＢ（２１４）の上記ＩＰアドレスが、上記無線ＵＥ装置（１０２）によって開始された完全修飾ドメイン名（ＦＱＤＮ）クエリ（５１０）を介して取得される、項目６〜１３のいずれか一項に記載の、ネットワーク環境（２００）においてネットワーク広告情報を取得する方法。
【００２５】
（項目１６）
利用可能な無線アクセスネットワークを発見するために、少なくとも１つの周波数バンドにおいてスキャンすることを容易にするロジックモジュール（９４０）と、
認証サーバ（５０４）を用いて、認証メカニズムを達成するロジックモジュール（９４５）と、
インターネットプロトコル（ＩＰ）アドレスを用いてネットワーク広告ブローカ（ＮＡＢ）（２１４）をクエリし、該ＮＡＢ（２１４）からネットワーク広告情報を取得する、該認証サーバ（５０４）を用いた認証の成功に応答して動作可能なロジックモジュール（９４５）であって、該ネットワーク広告情報は、相互接続された配列に配置された、一つ以上の無線アクセスネットワーク（ＲＡＮ  ２０８−１〜２０８−３）と、一つ以上の無線コアネットワーク（ＣＮ  ２１０−１〜２１０−３）と、一つ以上の無線サービスネットワーク（ＳＮ  ２１２−１〜２１２−３）とに対応する複数の識別コードの組み合わせを含む、ロジックモジュール（９４５）と、
該識別コードの組み合わせの少なくとも一部に基づいたネットワーク選択を容易にするロジックモジュール（９４０）と
を備える、無線ユーザ装備（ＵＥ）装置（１０２）。
【００２６】
（項目１７）
上記組み合わせが、（ｉ）上記無線ＵＥ装置（１０２）に利用可能な各ＲＡＮに関連した識別コードと、（ｉｉ）該ＲＡＮにサポートされる無線コアネットワーク（ＣＮ）に関連した識別コードと、（ｉｉｉ）特定のコアネットワークにサポートされる無線サービスネットワーク（ＳＮ）に関連した識別コードとを含む、項目１６に記載の、ネットワーク環境（２００）においてネットワーク広告情報を取得するように動作可能な無線ＵＥ装置（１０２）。
【００２７】
（項目１８）
上記スキャンすることを容易にするロジックモジュール（９４０）が、一つ以上の周波数バンドにおいてスキャンするロジックを含む、項目１６または１７に記載の、ネットワーク環境（２００）においてネットワーク広告情報を取得するように動作可能な無線ＵＥ装置（１０２）。
【００２８】
（項目１９）
上記スキャンが一つ以上の無線アクセス技術において実行される、項目１６〜１８のいずれか一項に記載の、ネットワーク環境（２００）においてネットワーク広告情報を取得するように動作可能な無線ＵＥ装置（１０２）。
【００２９】
（項目２０）
上記スキャンが、最初のスキャンプロセスと、バックグラウンドのスキャンプロセスとのうちの少なくとも一つにおいて実行される、項目１６〜１９のいずれか一項に記載の、ネットワーク環境（２００）においてネットワーク広告情報を取得するように動作可能な無線ＵＥ装置（１０２）。
【００３０】
（摘要）
一つ以上の無線アクセスネットワーク（ＲＡＮ  ２０８−１〜２０８−３）と、一つ以上のコアネットワーク（ＣＮ  ２１０−１〜２１０−３）と、一つ以上のサービスネットワーク（ＳＮ  ２１２−１〜２１２−３）とを有するネットワーク環境（２００）においてネットワーク広告情報を取得するスキームが提供される。無線ユーザ機器（ＵＥ）デバイス（１０２）による、適用可能なＲＡＮ−ＣＮ−ＳＮの組み合わせの発見および次のネットワーク選択を容易にするために、コードの組み合わせが、無線ＵＥデバイス（１０２）に提供される。
【発明を実施するための形態】
【００３１】
本特許出願における実施形態のより完全な理解は、添付された図面とともに、以下の詳細な記述に対する参照によってなされ得る。
【００３２】
本特許出願開示のシステムおよび方法は、本実施形態が最良になされ、および使用され得る方法を、様々な例を参照して、ここに記載される。同様の参照番号は、本記載および図面のいくつかの表示全体を通して、同様のまたは対応する部分を示すために使用され、ならびに、様々な要素は、必ずしも縮尺通りに記載されてはいない。図面、特に、図１を参照すると、そこに表されているのは、例示的な通常のネットワーク環境１００であり、本特許出願開示の一実施形態が実施され得る。ユーザ装備（ＵＥ）装置１０２は、任意の携帯用コンピュータ（例えば、ラップトップ、パームトップ、または持ち運び用のコンピュータ装置）、モバイル通信機器（例えば、携帯電話、または、メッセージまたはウェブブラウザを送受信することができる、データ扱い可能な持ち運び用機器など）、あるいは、任意の向上された携帯用情報端末（ＰＤＡ）機器、または、ｅメール、ビデオメール、インターネットアクセス、企業データアクセス、メッセージング、カレンダーおよびスケジューリング、情報管理などをすることが可能な一体化された情報電子機器（好ましくは、一つ以上の動作モードにおいて、および、多数の周波数帯において動作可能である）を含み得る。例えば、ＵＥ装置１０２は、携帯電話帯域周波数、および無線ローカルエリアネットワーク（ＷＬＡＮ）において動作し得る。さらに、ＵＥ装置が無線にて動作可能である他の帯域は、Ｗｉ−Ｍａｘ帯域または一つ以上の衛星帯域を含み得る。例示によって、ネットワーク環境１００は、サービスをＵＥ装置１０２に提供することができる通信スペースの二つの広いカテゴリとして描かれる。そこにおいて、ネットワーク広告情報の獲得は、ここで説明される教示に従って達成され得る。広域携帯電話ネットワーク（ＷＡＣＮ）スペース１０４において、パケット交換データサービスを含み得るか、または含み得ない携帯電話サービスを提供するように動作可能である、任意の数のパブリック陸上移動通信網（ＰＬＭＮ）が存在し得る。カバー領域およびユーザがローミングするかどうかに依存して、ＷＡＣＮスペース１０４は、多数のホームネットワーク１１０（つまり、ホームＰＬＭＮまたはＨＰＬＭＮ、あるいは、それと同等のＨＰＬＭＮまたはＥＨＰＬＭＮ）、ビジテッド（ｖｉｓｉｔｅｄ）ネットワーク（つまり、ＶＰＬＭＮ）１１２を含み得、それぞれは、ホーム位置登録（ＨＬＲ）ノード１１５、モバイル交換センター（ＭＳＣ）ノード１１６、などの、適切なインフラストラクチャを有する。ＷＡＣＮスペース１０４はまた、汎用パケット無線サービス（ＧＰＲＳ：Ｇｅｎｅｒａｌ  Ｐａｃｋｅｔ  Ｒａｄｉｏ  Ｓｅｒｖｉｃｅ）ネットワークを含み得、グローバル移動体通信システム（ＧＳＭ）ベースのキャリアネットワークの携帯電話用インフラストラクチャを用いたモバイル機器のパケット無線アクセスを提供し、Ｓｅｒｖｉｎｇ  ＧＰＲＳサポートノード（ＳＧＳＮ）１１４はそこで例示される。追加的に、普及された方法によって、ＷＡＣＮスペース１０４のＰＬＭＮは、拡張型高速データレート展開（ＥＤＧＥ）ネットワーク（Ｅｎｈａｎｃｅｄ  Ｄａｔａ  Ｒａｔｅｓ  ｆｏｒ  Ｇｌｏｂａｌ  Ｓｙｓｔｅｍ  ｆｏｒ  Ｍｏｂｉｌｅ  Ｃｏｍｍｕｎｉｃａｔｉｏｎｓ  Ｅｖｏｌｕｔｉｏｎ）、Ｉｎｔｅｇｒａｔｅｄ  Ｄｉｇｉｔａｌ  Ｅｎｈａｎｃｅｄ  Ｎｅｔｗｏｒｋ（ＩＤＥＮ）、符号分割多重接続（ＣＤＭＡ）ネットワーク、時分割多重接続（ＴＤＭＡ）ネットワーク、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワーク、または第３世代パートナーシッププロジェクト規格対応ネットワーク（３ＧＰＰ：３ｒｄ  Ｇｅｎｅｒａｔｉｏｎ  Ｐａｒｔｎｅｒｓｈｉｐ  Ｐｒｏｊｅｃｔ）（例えば、３ＧＰＰまたは３ＧＰＰ２）からなる群から選択された、無線アクセスおよびコアネットワークを含み得、それら全ては、既知の周波数帯域およびプロトコルとともに動作する。
【００３３】
さらに、ＵＥ装置１０２は、ＷＡＣＮスペース１０４に接続されるアクセスネットワーク（ＡＮ）スペース１０６からのサービスを得るように動作可能である。一実施において、ＡＮスペース１０６は、一つ以上のジェネリックアクセスネットワーク（ＧＡＮ）１１８、および、無線ＬＡＮ（ＷＬＡＮ）配置１２０の任意のタイプを含み、それらの両方は、ＵＥ装置１０２と、ブロードバンドインターネットプロトコル（ＩＰ）ベースネットワークを使用するＰＬＭＮコアネットワークとの間のアクセスサービスを提供するように動作可能である任意の無線ＡＮとして普及され得る。ＷＬＡＮ配置１２０は、アクセスポイント（ＡＰ）または「ホットスポット（ｈｏｔ  ｓｐｏｔ）」を介して、短距離無線接続をＵＥ装置１０２に提供し、ＩＥＥＥ８０２．１１ｂ規格、ＩＥＥＥ８０２．１１ａ規格、ＩＥＥＥ８０２．１１ｇ規格、ＨｉｐｅｒＬａｎ規格、ＨｉｐｅｒＬａｎ II 規格、Ｗｉ−Ｍａｘ規格、ＯｐｅｎＡｉｒ規格、およびＢｌｕｅｔｏｏｔｈ規格などの、様々な規格を用いて実施され得る。
【００３４】
一実施形態において、ＷＡＣＮとＡＮスペースとの間の接点は、所定の規格に従って実施され得る。例えば、ＧＡＮ１１８は、３ＧＰＰ  ＴＲ４３．９０１および３ＧＰＰ  ＴＳ４３．ｘｘｘドキュメント、ならびに関連するドキュメンテーションにおいて説明される手順を使用する、一つ以上のＰＬＭＮとインターフェース接続し得る。同様に、ＷＬＡＮ１２０は、３ＧＰＰ  ＴＳ２２．２３４、３ＧＰＰ  ＴＳ２３．２３４、および３ＧＰＰ  ＴＳ２４．２３４ドキュメント、ならびに関連するドキュメンテーションにおいて説明される手順を使用する、少なくとも一つＰＬＭＮコアとインターフェース接続し得、それゆえ、Ｉｎｔｅｒｗｏｒｋｉｎｇ  ＷＬＡＮ（Ｉ−ＷＬＡＮ）配置と呼ばれ得る。
【００３５】
前述に基づいて、ネットワーク環境１００のサービスインフラストラクチャは、一つ以上の無線アクセスネットワーク（ＲＡＮ）（それは、携帯電話帯域技術とＷＬＡＮ技術を含み得る）、一つ以上のコアネットワーク（ＣＮ）、および一つ以上のサービスネットワーク（ＳＮ）である、三つの広いセグメントに一般化され得る。ネットワーク所有の配置およびサービスレベルの取り決めに依存して、それぞれのＲＡＮは、一つ以上のＣＮをサポートし得、次に、それらのそれぞれが一つ以上のＳＮをサポートし得る。多数のオーナーに亘るインフラストラクチャ装備の組み合わせは、時々、Ｍｏｂｉｌｅ  Ｖｉｒｔｕａｌ  Ｎｅｔｗｏｒｋ  Ｏｐｅｒａｔｏｒｓ（ＭＶＮＯ）を作成するために使用される。本特許出願開示の教示は、ＰＬＭＮに関するＭＶＮＯに等しく適用可能である。それぞれのＲＡＮ、ＣＮ、およびＳＮはそれ自体のネットワーク識別子（ＩＤコード）を提供され得、さらに、ネットワーク環境１００において利用可能である多数のＲＡＮ−ＣＮ−ＳＮの組み合わせのために、ネットワーク広告情報を提供する単一のブロードキャスト識別子の従来のブロードキャスティングは、不利になっている。
【００３６】
本開示の教示を定式化するために、ここで図２が参照され、ネットワーク環境２００の例示的な実施形態において、図１に図示された、一般化されたネットワーク環境１００のさらに具体的なサブセットが示される。図に示されるように、無線ＵＥ装置１０２は、ＲＡＮセグメント２０２からネットワーク広告情報を獲得するために動作可能なように配置され、ＲＡＮセグメント２０２は、次に、ＳＮセグメント２０６に結合されるＣＮセグメント２０４に結合される。三つのＲＡＮである、ＲＡＮ−１（２０８−１）、ＲＡＮ−２（２０８−２）、およびＲＡＮ−３（２０８−３）が図示され、それらは個々に、ネットワークコードであるＭＡＮＣ１、ＭＡＮＣ２、およびＭＡＮＣ３を用いて識別される。ＣＮセグメント２０４はまた、ＣＮ−１（２１０−１）（ＭＣＮＣ１のＩＤコードを有する）、ＣＮ−２（２１０−２）（ＭＣＮＣ２のＩＤコードを有する）、およびＣＮ−３（２１０−３）（ＭＣＮＣ３のＩＤコードを有する）の三つのＣＮが図示される。同様に、ＳＮセグメント２０６は、ＳＮ−１（２１２−１）（ＭＳＮＣ１のＩＤコードを有する）、ＳＮ−２（２１２−２）（ＭＳＮＣ２のＩＤコードを有する）、およびＳＮ−３（２１２−３）（ＭＳＮＣ３のＩＤコードを有する）の三つのＳＮが図示される。
【００３７】
例として、ＲＡＮ−１（２０８−１）は、二つのＣＮである、ＣＮ−１（２１０−１）およびＣＮ−２（２１０−２）への接続をサポートするように動作可能である。同様な方法において、ＲＡＮ−２（２０８−２）は三つのＣＮをサポートし、ＲＡＮ−３（２０８−３）は一つのＣＮのみをサポートする。それぞれのＣＮは、一つ以上のＳＮ（例えば、ＣＮ−３（２１０−３）はＳＮ−２（２１２−２）およびＳＮ−３（２１２−３）に接続する）への接続をサポートする。ＲＡＮ／ＣＮ／ＳＮセグメントの相互接続を与えられ、識別コードのいくつかの組み合わせは、無線ＵＥ装置１０２が潜在的に発見し得、および選択し得る様々なＲＡＮ−ＣＮ−ＳＮの組み合わせを独自に識別するために得られ得る。例えば、適切なモバイル国別コード（ＭＣＣ）が含まれつつ、ＲＡＮ−１（２０８−１）に関連する三つのＩＤコードの組み合わせは、
［ＭＣＣ．ＭＡＮＣ１．ＭＣＮＣ１．ＭＳＮＣ１］；
［ＭＣＣ．ＭＡＮＣ１．ＭＣＮＣ１．ＭＳＮＣ２］；および
［ＭＣＣ．ＭＡＮＣ１．ＭＣＮＣ２．ＭＳＮＣ２］である。
【００３８】
同様に、ＲＡＮ−２  ２０８−２に関連するＩＤコードの組み合わせは、
［ＭＣＣ．ＭＡＮＣ２．ＭＣＮＣ１．ＭＳＮＣ１］；
［ＭＣＣ．ＭＡＮＣ２．ＭＣＮＣ１．ＭＳＮＣ２］；
［ＭＣＣ．ＭＡＮＣ２．ＭＣＮＣ２．ＭＳＮＣ２］；
［ＭＣＣ．ＭＡＮＣ２．ＭＣＮＣ３．ＭＳＮＣ２］；および
［ＭＣＣ．ＭＡＮＣ２．ＭＣＮＣ３．ＭＳＮＣ３］である。
【００３９】
ＲＡＮ−３（２０８−３）に関連する二つのＩＤコードの組み合わせは、［ＭＣＣ．ＭＡＮＣ３．ＭＣＮＣ３．ＭＳＮＣ２］および［ＭＣＣ．ＭＡＮＣ３．ＭＣＮＣ３．ＭＳＮＣ２］である。上に、詳細に記載されたように、多数の選択が、初期スキャン手順（つまり、装置が任意のネットワークに登録される場合）、または、バックグラウンド捜査手順（つまり、装置がネットワーク上に登録される）のいずれかにおいて、適用可能なネットワークＩＤコード情報をＵＥ装置１０２に提供するために利用可能である。
【００４０】
さらに、ネットワーク広告ブローカ（ＮＡＢ）要素２１４はネットワーク環境２００において配置され、ネットワーク毎の基準において、様々なＲＡＮ−ＣＮ−ＳＮのＩＤコードの組み合わせの保管所（ｄｅｐｏｓｉｔｏｒｙ）、およびサポートされたサービス、性能などに関連する情報として動作可能である。例えば、ＮＡＢ２１４に関連するデータベース構造は、ＲＡＮ  ＩＤ、ＣＮ  ＩＤを含み得、それぞれのＲＡＮは、それぞれのＲＡＮによってサポートされるサービス、（前述の検討において言及されたような、３ＧＰＰ、３ＧＰＰ２、または任意のＩＥＥＥベースのＷＬＡＮなどの任意の無線技術であり得る）ＲＡＮによってサポートまたは動作される他のアクセスネットワークなどに接続され、情報の任意または全ては、定期的には、または必要に応じて、更新され得る。付け加えて、実施に依存して、ＮＡＢ２１４は、ＲＡＮ、ＣＮ、またはＳＮに、あるいはそれらのうちの任意の組み合わせに関連され得る。さらなる実施形態において、ＮＡＢ２１４は、パブリックパケット交換インターネットプロトコル（ＩＰ）ネットワーク部２１６（例えば、インターネット）を介してアクセス可能であるサードパーティ要素として提供され得る。
【００４１】
ローミングブローカ（ＲＢ）として参照される別のブローカ要素２１８がまた、ネットワーク環境２００において配置され、特にローミングが使用されるところにて、ＵＥ装置によって、ネットワーク選択を最適化することに関連して追加的な性能を提供する。上に、詳細にみられたように、ＲＢ２１８に関連する一つ以上のデータベース構造は、ＵＥ装置のホームネットワークとともに、直接または間接のビジター（ｖｉｓｉｔｏｒ）サービスの配置を有するネットワークに関連する、サービス関係データおよびサービス状態データが準備され得る。ＲＢ２１８において提供される適切なサービスロジックは、従って、ＵＥ装置１０２によって転送される入力に基づいて、ネットワーク選択を適合する目的のために実行され得る。ＮＡＢ実施と同様に、ＲＢ２１８は、ＲＡＮ、ＣＮ、またはＳＮ、あるいはそれらの任意の組み合わせを含む、ホームネットワークまたはビジテッド（ｖｉｓｉｔｅｄ）ネットワークに関連され得る。更なる実施形態において、ＲＢ２１８は、パブリックパケット交換インターネットプロトコル（ＩＰ）ネットワーク部２２０（例えば、インターネット）を介してアクセス可能である、サードパーティ要素として提供され得る。
【００４２】
ここで図３を参照すると、本特許出願開示の教示に従い、ネットワーク広告ブローカ（ＮＡＢ）として提供される例示的なデータベース構造３００がそこに表される。データベースのカバー範囲およびサードパーティの商業的な取り決めに基づき、データベース構造３００は、相当に多数のＲＡＮに関連するデータが準備され得る。参照番号３０２は、それらのＲＡＮ  ＩＤコードによって識別された一つ以上のＲＡＮを参照する。それぞれのＲＡＮによってサポートされるサービスは、カラム３０４において識別される。例えば、ＲＡＮ−１は、高速データリンクパケットアクセス（ＨＳＤＰＡ：Ｈｉｇｈ  Ｓｐｅｅｄ
Ｄａｔａｌｉｎｋ  Ｐａｃｋｅｔ  Ａｃｃｅｓｓ）、ＥＤＧＥなどをサポートするように動作可能である。特定のＲＡＮと他のアクセスネットワークとの相互関係または相互動作性は、カラム３０６において示される。図示されるように、ＲＡＮ−１は、追加的なＲＡＮ、ＲＡＮ−Ｘ、ＲＡＮ−Ｙ、およびＲＡＮ−Ｚ、ならびにＷＬＡＮ、ＷＬＡＮ−Ａ、およびＷＬＡＮ−Ｃと相互動作する。参照番号３０８は、カラム３０２において識別されるそれぞれの特定のＲＡＮによってサポートされたコアネットワークである。参照番号３１０は、例えば、ＩＰマルチメディアサブシステム（ＩＭＳ）、プレゼンス（Ｐｒｅｓｅｎｃｅ）、携帯電話を介したプシュツートーク（Ｐｕｓｈ−ｔｏ−Ｔａｌｋ）（ＰｏＣ）などの、それぞれのＣＮによってサポートされる様々なサービスである。
【００４３】
本特許出願開示の教示に従い、少なくとも三つの選択が、ネットワーク広告情報を提供するために利用可能である（つまり、どのネットワークおよびネットワークの組み合わせが無線装置に対して利用可能であるかを示す情報）。
Ｓ    ＲＡＮ基準毎にブロードキャストする。この選択において、既存のブロードキャストのメッセージは拡張され得るか、または、追加的なブロードキャストのメッセージは、ネットワークＩＤコードの組み合わせを搬送するために作成され得る。
Ｓ    サードパーティ（例えば、公共団体、消費者団体など）によって提供され得るビーコン（ｂｅａｃｏｎ）チャンネルを介して、全ての利用可能なネットワークおよびネットワークの組み合わせをブロードキャストする。
Ｓ    ＮＡＢ要素をクエリすることを介して提供される。
【００４４】
図４は、一実施形態に従い、ネットワーク広告情報を獲得するために、本特許出願開示の例示的なメッセージのフロー図を表し、広告メッセージはＲＡＮからブロードキャストされる。一つ以上のＲＡＮ４０４は、エアインターフェース４０２における関連する制御チャンネルを介して情報をブロードキャストするように動作可能である。一つの配置において、ＲＡＮノード４０４は、様々な携帯電話ネットワークに配置された送受信器基地局（ＢＴＳ：Ｂａｓｅ  Ｔｒａｎｓｃｅｉｖｅｒ  Ｓｔａｔｉｏｎ）を含み得る。参照番号４０６−１から４０６−Ｎは、指定された反復レートにおいて、ネットワークノードによってブロードキャストされる制御チャンネルメッセージである。一実施において、ブロードキャスト情報は、他のタイプの情報の中でも、ネットワークＩＤコードの組み合わせ情報、性能情報、隣接セル（ｃｅｌｌ）情報を含み得る。ＵＥ１０２は、エアインターフェース４０２を介してブロードキャスト情報を読み出すように動作可能であり、受信された広告情報に、少なくとも部分的に基づき、適切なネットワーク選択が実行され得、適切なネットワーク選択は、加入者、ネットワークオペレータなどによって構成され得るような、優先および禁止の提供を介して仲介され得る。
【００４５】
一実施において、様々なＲＡＮ−ＣＮ−ＳＮ  ＩＤコードの組み合わせは、それらの全体において送信され得る。つまり、それぞれのＲＡＮ−ＣＮ−ＳＮ  ＩＤコードの組み合わせは、明示的に、完全に解かれ、送信され得る。例えば、図２のＲＡＮ−１に関連して提供された、三つの組み合わせのそれぞれ、［ＭＣＣ．ＭＡＮＣ１．ＭＣＮＣ１．ＭＳＮＣ１］、［ＭＣＣ．ＭＡＮＣ１．ＭＣＮＣ１．ＭＳＮＣ２］、および［ＭＣＣ．ＭＡＮＣ１，ＭＣＮＣ１．ＭＳＮＣ２］は、完全な形式において、ＲＡＮ−１によってブロードキャストされ得る。別の実施において、それぞれのＣＮは、それがサポートする全てのＳＮ
ＩＤコードを広告し得る。例えば、［ＭＣＣ．ＭＡＮＣ１．ＭＣＮＣ１．ＭＳＮＣ１．ＭＳＮＣ２］の組み合わせ形式は、ＭＳＮＣ１およびＭＳＮＣ２の両方が、ＭＣＮＣ１によって識別されたＣＮによってサポートされることを示す。
【００４６】
前に示されたように、それぞれのネットワークに対して、利用可能であるサービスを定義する、対応するブロードキャストメッセージが存在する。一局面において、ＵＥ１０２はまた、特定のＩＤコードの組み合わせ（例えば、［ＭＣＣ．ＭＡＮＣ１．ＭＣＮＣ１．ＭＳＮＣ２］）を送信することによってサービス情報を、そのような情報を得るための適切なネットワークノードに要求する。付け加えて、ＩＤコード情報およびサービス情報は、ブロードキャスティングのための一つ以上のＮＡＢによって、個々のＲＡＮに提供される。
【００４７】
図５は、別の実施形態に従い、ネットワーク広告情報を獲得するために、本特許出願開示の例示的なメッセージフロー図を図示する。前に示したように、ＵＥ１０２は、個々のＲＡＮから、エアインターフェース４０２を介して、ブロードキャストメッセージを読み出すように動作可能である。適用可能な選択フィルタ（例えば、ポジティブフィルタ（つまり、優先））およびネガティブフィルタ（つまり、禁止）を使用して、装置に構成され得るように、特定のＲＡＮが選択され得る（ブロック５０６）。その後、装置／ユーザは、認証、認可および課金管理（ＡＡＡ：Ａｕｔｈｅｎｔｉｃａｔｉｏｎ，  Ａｕｔｈｏｒｉｚａｔｉｏｎ  ａｎｄ  Ａｃｃｏｕｎｔｉｎｇ）サーバ５０４を用いて、認証メカニズム５０８に係ることによって認証される。認証に成功した後、ＲＡＮは、装置が、ＮＡＢのＩＰアドレスを使用して、例えばＮＡＢ２１４などの適切なＮＡＢとコンタクトさせるように動作可能である。一実施において、ＩＰアドレスは、装置によって開始される完全修飾ドメイン名（ＦＱＤＮ：Ｆｕｌｌｙ  Ｑｕａｌｉｆｉｅｄ  Ｄｏｍａｉｎ  Ｎａｍｅ）を介して得られ得、そこにおいて、ＦＱＤＮは、ＲＡＮのモバイル国別コード（ＭＣＣ）およびモバイルネットワークコード（ＭＮＣ）を用いて構成される。別の実施において、ＡＡＡサーバ５０４は、ＩＰアドレスまたはＦＱＤＮを提供し得る。参照番号５１０および５１２は、ドメインネームサーバ（ＤＮＳ）５０２に対するＦＱＤＮクエリを介したＩＰアドレス要求、および、そこからの応答である。いったん、ＮＡＢのＩＰアドレスがＵＥ１０２に対して利用可能であると、次いで、それは、要求メッセージ５１４を介してＮＡＢ２１４にコンタクトし、返答５１６を介して要求されるＮＡＢ情報を得る。要求メッセージ５１４の一部として、ＵＥ装置１０２は、加入者ＩＤ（例えば、ＧＳＭにおける、［ＭＣＣ］［ＭＮＣ］［ＭＩＮ］として構成されるＩｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）であり、［ＭＣＣ］が、その加入者の国を識別し、［ＭＮＣ］がＰＬＭＮネットワークを識別し、および［ＭＩＮ］が無線ＵＥ装置を識別する独自のＩＤである）、ネットワークＩＤ（例えば、Ｃｅｌｌ  Ｇｌｏｂａｌ  Ｉｄｅｎｔｉｆｉｃａｔｉｏｎ（ＣＧＩ）またはＳｙｓｔｅｍ  Ｉｄｅｎｔｉｆｉｃａｔｉｏｎ（ＳＩＤ））、他のネットワークのネットワークＩＤ、無線ＵＥ装置の位置情報（例えば、全地球測位システムまたはＧＰＳ座標）、メディアアクセスコントロール（ＭＡＣ）、および無線ＵＥ装置のＭＡＣアドレスの任意または全てを含み得る。
【００４８】
返答メッセージ５１６の一部として、ＮＡＢ２１４は格納されたＲＡＮ−ＣＮ−ＳＮ  ＩＤ情報、ならびに、それに関連するサービスおよび性能を送信するように動作可能である。無線ＵＥ装置１０２の地理的位置情報に基づき、ＮＡＢ情報は適切にカスタマイズされ得る。要求された情報の受取りの後、無線ＵＥ装置はそれをローカルに格納し得る。
【００４９】
図６は、上に記載された方法の一実施形態に関連するフローチャートである。ブロック６０２において、無線ＵＥ装置は、装置構成などに依存しながら、一つ以上の周波数帯および一つ以上の無線アクセス技術におけるＷＬＡＮを含む、利用可能なＲＡＮをスキャンするように動作可能である。例えば、使用される多数の技術モードに対して、無線ＵＥ装置を構成することが可能であり、その構成情報は、その装置とともに動作する、加入者識別モジュール（ＳＩＭ）カード、または着脱可能ユーザ識別モジュール（ＲＵＩＭ）カード上の、基底（ｅｌｅｍｅｎｔａｒｙ）ファイル（ＥＦ）構造として格納され得る。他の着脱可能なメモリ形式は、コンパクトフラッシュ（登録商標）（ｃｏｍｐａｃｔ  Ｆｌａｓｈ）、セキュアＳＤ（ｓｅｃｕｒｅ  ＳＤ）などを含み得る。別の実施形態において、そのようなデータは、装置に統合される固定メモリモジュールにおいて、および／または、管理されたオブジェクト情報ツリーの一部として、格納され得る。付け加えて、装置構成データは、ショートメッセージサービス（ＳＭＳ）、セルブロードキャスト（Ｃｅｌｌ
Ｂｒｏａｄｃａｓｔ）、マルチメディアブロードキャスト／マルチキャストサービス（ＭＢＭＳ）、または、非構造付加サービスデータ（ＵＳＳＤ：Ｕｎｓｔｒｕｃｔｕｒｅｄ
Ｓｕｐｐｌｅｍｅｎｔａｒｙ  Ｓｅｒｖｉｃｅ  Ｄａｔａ）などの、Ｏｖｅｒ  ｔｈｅ
Ａｉｒ（ＯＴＡ）を介して、ネットワークオペレータによって修正され得る。さらなる実施形態において、加入者がその装置構成データを修正することが可能であり得る。
【００５０】
図１に関連して、前記された例示的なネットワーク環境１００の多様性を考慮すると、スキャンは、ＧＥＲＡＮ（ＥＤＧＥなしの）、ＧＥＲＡＮ（ＥＤＧＥありの）、ＩＤＥＮネットワーク、ＣＤＭＡ／ＣＤＭＡ２０００／ＴＤＭＡネットワーク、ＵＭＴＳネットワークなどの技術の少なくとも一つが動作している周波数帯において実施され得ることが認識される。付け加えて、スキャンは、ＩＥＥＥ８０２．１１ｂ規格、ＩＥＥＥ８０２．１１ａ規格、ＩＥＥＥ８０２．１１ｇ規格、ＨｉｐｅｒＬａｎ規格、ＨｉｐｅｒＬａｎ II 規格、Ｗｉ−Ｍａｘ規格、ＯｐｅｎＡｉｒ規格、およびＢｌｕｅｔｏｏｔｈ規格から選択されたＷＬＡＮ規格に対応する周波数帯において実施され得る。さらに、ＵＥ装置は、スキャンを介して得られたネットワーク情報の少なくとも一部に基づいたＲＡＮを選択するロジックを含む。その後、ＡＡＡを使用した認証メカニズムは、その装置および加入者を認証するために使用される（ブロック６０４）。適切なＮＡＢのＩＰアドレスは、例えばＦＱＤＮを用いて得られる（ブロック６０６）。その後、ＮＡＢはブロック６０６において得られたＩＰアドレスを用いてコンタクトされ、そこで、サービス／性能情報を含む適切なネットワーク広告情報は、ＮＡＢから得られ得る。前に示されたように、そのような情報は、例えば、地理的位置に基づいてカスタマイズされ得る。これらの動作は、ブロック６０８からブロック６１０において例示される。
【００５１】
図７は、本特許出願開示の一局面に従って、ネットワーク選択の優先および禁止を構成可能なように設定するための、動作ベースリスト、ユーザベースリスト、または企業ベースリスト、あるいはそれらの組み合わせとして提供され得る例示的なデータベース構造７００を図示する。一実施形態において、データベース構造７００は、一つ以上の無線アクセス技術における好ましいネットワークとして考えられるべき複数のネットワークＩＤを特定する、オペレータ規定のネットワークリストとして構成され、そこで、ネットワークＩＤは、オペレータによって配置される。別の実施形態において、データベース構造７００は、例えば、無線ＵＥ装置を使用して、ユーザ毎に一つのリストを伴った、一つ以上のユーザネットワークリストとして構成され得る。それぞれのそのようなリストは、その装置に対してそれら自体を識別した後に、ユーザによってアクセスされ得、そこで、そのリスト（つまり、ネットワークＩＤ）のコンテンツは個々のユーザによって配置される。さらに別の実施形態において、データベース構造７００は、その従業員−ユーザの利益のために、無線装置を所有する企業によって好まれるネットワークＩＤのリストとして構成され得る。
【００５２】
特定の構成に関わらず、データベース構造７００は、ＥＤＧＥ技術７０２Ａ、ＷＬＡＮ技術７０２Ｂ、およびＵＭＴＳ技術７０２Ｃなどの複数の無線アクセス技術を規定し、多数のＲＡＮ  ＩＤが、それぞれの技術に提供される。図７において例示されるように、カラム７０４Ａは、ＥＤＧＥ技術の多数のＲＡＮ  ＩＤを識別し、それぞれのＲＡＮは、対応するカラム７０６Ａにおいて識別された一つ以上のコアネットワークをサポートする。同様に、カラム７０４Ｂ／７０６Ｂおよびカラム７０４Ｃ／７０６Ｃは、個々に、ＷＬＡＮおよびＵＭＴＳに提供される。当業者が理解し得るように、様々なＩＤは、サービスセットＩＤ（ＳＳＩＤ）（ＷＬＡＮのための）、ＳＩＤ（ＩＳ−９５およびＩＳ−１３６のための）、または［ＭＣＣ，ＭＮＣ］の組み合わせ（ＧＳＭのための）であり得る。
【００５３】
上で説明されたネットワーク優先リストと同様に、使用を禁止される一つ以上のネットワークを識別する類似したデータベース構造が提供され得る。禁止されたネットワークのそのようなリストは、例えば、オペレータ・バー（ｏｐｅｒａｔｏｒ−ｂａｒｒｅｄ）のＲＡＮリスト（つまり、一人のオペレータによって特定される）、企業・バー（ｅｎｔｅｒｐｒｉｓｅ−ｂａｒｒｅｄ）のＲＡＮリスト（つまり、一つの企業によって特定される）、オペレータ・バー（ｏｐｅｒａｔｏｒ−ｂａｒｒｅｄ）のＣＮリスト（つまり、一人のオペレータによって特定される）、企業・バー（ｅｎｔｅｒｐｒｉｓｅ−ｂａｒｒｅｄ）のＣＮリスト（つまり、一つの企業によって特定される）として構成され得る。
【００５４】
ネットワークの優先および禁止を識別するデータベース構造の一つ以上の実施形態および構成に付け加えて、一つ以上のホームネットワークリスト（同等のホームネットワークを含む）は、ローミングブローカ（ＲＢ）として参照されるネットワーク要素とともに、ネットワーク選択を容易にするために提供され得る。ＲＢの提供、およびＮＡＢとのインタラクションに関するさらなる詳細は、同時所有かつ同時継続のタイトルが「ＮＥＴＷＯＲＫ  ＳＥＬＥＣＴＩＯＮ  ＳＣＨＥＭＥ  ＵＳＩＮＧ  Ａ  ＲＯＡＭＩＮＧ  ＢＲＯＫＥＲ（ＲＢ）」の本願と出願日が同じである米国特許出願（代理人整理番号１４００−１０３７ＵＳ）に見られ、この特許出願は、先に相互参照されている。
【００５５】
無線部分において使用され得る多数のリストが存在することを考えると、適切な情報またはロジックは、様々な無線アクセス技術、優先、および禁止の中での優先順位を解決するために、無線ＵＥ装置の一部として提供され得る。無線装置が、多数のモード（つまり、異なる技術）において動作可能である場合、特定のモードは、その第１の動作モード（最も高い優先順位）として指定され得る。第２および第３の動作モードは、従って、より低い優先順位であり得る。再び、動作モードは、オペレータ規定の基準、加入者規定の基準、または企業規定の基準に基づいて、ダイナミックに構成または再構成され得ると考えられる。動作モードを制御することにおいて使用される一部の例示的なパラメータは、装置位置情報（例えば、ＧＰＳ情報）、ＳＳＩＤ、ＳＩＤ、［ＭＣＣ，ＭＮＣ］の組み合わせ、セルＩＤなどであり得る。付け加えて、所定の優先規準は、オペレータ、企業、または加入者（つまり、ハードセット（ｈａｒｄ  ｓｅｔ）に）に提供され得る。一実施において、これらのパラメータの相互作用は、特定の技術が、第１、第２、または第３の動作モードのいずれかである場合に、規定する。それぞれの規定されたパラメータは、それに関連するフラグを用いて準備され、その規定された状態が、動作モードを設定するために生じるかどうかを示す。例えば、無線ＵＥ装置が、初期スキャンを実行した後、特定のセルＩＤを発見したことを想定する。その加入者は、ホームＳＳＩＤがこのセルにて発見された場合に、ＷＬＡＮが第１の動作モードとして設定される状態を規定すると想定される。従って、装置の第１のモードは、ホームＳＳＩＤが見出された場合、および、第２のモードがＧＳＭに設定され得た場合、この特定のセルにおけるＷＬＡＮが設定される。
【００５６】
先に示したとおり、種々の好適かつ閉鎖的なネットワークリストの提供には、使用する順番を特定する適切な装置ロジックを必要とする。さらに、各国は、どのリストが上位にあるべきかに関して、自国の法的な要求事項を有し得る。例えば、一企業は、その企業の敷地の付近において動作するパブリックＷＬＡＮアクセスポイントへのアクセスを禁じ得る。さらに、特定の装置ロジックは、スキャン動作も特定するのにも必要とされ得る。その理由は、装置がスキャン可能であるという過技術（ｐｅｒ−ｔｅｃｈｎｏｌｏｇｙ）ベースの複数のバンドが存在し得るためである。図８Ａ〜図８Ｃは、無線ＵＥ装置の動作の構成を容易にする例示的なデータベース構造またはロジックを示す。特に、図８Ａの参照番号８００Ａは、その装置とともに動作可能なリスト順序付けスキームを参照する。ここで、優先順位は、装置の種々のネットワークリストに課されている。図８Ｂでは、参照番号８００Ｂは、その装置の最初のスキャン動作を特定するスキームを参照する。示すとおり、装置が最初のスキャンを実行する場合には、Ｔｅｃｈｎｏｌｏｇｙ  ＡがバンドＡ、ＢおよびＣにおいてスキャンされるべきである、ということが条件とされる。ＧＳＭインプリメンテーションでは、これらのバンドは、８５０ＭＨｚ、９００ＭＨｚ、１８００ＭＨｚおよび１９００ＭＨｚから選択され得る。同様に、Ｔｅｃｈｎｏｌｏｇｙ  Ｂは、２つのバンド（８５０ＭＨｚおよび１９００ＭＨｚ）において動作するＣＤＭＡ（ＩＳ−９５）であり得る。スキーム８００Ｂでは、各技術が一つ以上の周波数バンドで例示されているが、スキャンバンドが特定されていない無線装置で利用可能な技術もあり得る（例えば、特定の技術に関連してオン／オフフラグを設定することによって、または、明示的に、特定のバンド情報を提供しないことによって）ということは理解されるべきである。さらに、スキャンの順番は、直列モードまたは並列モードで達成され得る。
【００５７】
例示的な最初のスキャン手順を以下に記載する。
【００５８】
【数１】
0005339485.tif 000002
同様の態様で、図８Ｃの参照番号８００Ｃは、装置のバックグラウンドのスキャン動作を特定するスキームを参照する。例示したとおり、装置がバックグラウンドのスキャンを実行する場合には、Ｔｅｃｈｎｏｌｏｇｙ  Ａは、バンドＡおよびＣにおいてスキャンされるべきである、ということが条件とされる。Ｔｅｃｈｎｏｌｏｇｙ  Ｂは、バンドＤおよびＧにおいてスキャンされ得る。最初のスキャンプロセスロジックと同様に、バックグラウンドのスキャンスキーム８００Ｃは、バンド情報が提供されていない技術を有し得る。バックグラウンドのスキャンの間隔に関しては、それぞれの技術ベースの装置上に、または全ての技術に対して単一のものを用いて、構成され得る。さらに、このようなコンフィギュレーションデータは、装置の固定メモリモジュール内に、または、取り外し可能なモジュール（例えば、ＳＩＭ、ＲＵＩＭ、コンパクトフラッシュ（登録商標）、ＵＳＩＭなど）を介して、提供され得る。
【００５９】
例示的なバックグラウンドのスキャン手順を以下に記載する。
【００６０】
【数２】
0005339485.tif 000003
図９は、本特許出願開示の教示に従い、ネットワーク広告情報を獲得し、ネットワーク選択を実行するように動作可能である、無線装置９００の一実施形態のブロック図を図示する。この点に関して当業者は、ＵＥ１０２の一実施形態が図９に示されたものと類似した配列を含み得るが、記載された様々なモジュールに関して、ハードウェア、ソフトウェア、またはファームウェアにおける多数の変更および修正が存在し得ることは理解されたい。従って、図９の配列は、本特許出願開示の実施形態に関して、限定するのではなく、例示のためとして考えられるべきである。ＵＥ９００全体の制御を提供するマイクロプロセッサ９０２は、通信サブシステム９０４と動作するように結合され、通信サブシステム１２０４は、複数の帯域を介して、マルチモード通信を実施する、送信器／受信器（送受信器）機能を含む。例えば、広域無線Ｔｘ／Ｒｘモジュール９０６および無線ＡＮ  Ｔｘ／Ｒｘモジュール９０８が例示される。特に図示されてはいないが、それぞれのＴｘ／Ｒｘモジュールは、一つ以上のローカル発振器（ＬＯ）モジュール、ＲＦスイッチ、ＲＦ帯域通過フィルタ、Ａ／ＤおよびＤ／Ａコンバータ、デジタル信号プロセッサ（ＤＳＰ）などの処理モジュール、ローカルメモリなどの、他の関連する構成要素を含み得る。通信領域における当業者に明らかであるように、通信サブシステム９０４の特定の設計は、ＵＥ装置が動作することが意図されているネットワーク通信に依存し得る。一実施形態において、通信サブシステム９０４は、音声およびデータ通信両方を用いて動作可能である。
【００６１】
マイクロプロセッサ９０２はまた、補助入力／出力（Ｉ／Ｏ）９１８、シリアルポート９２０、ディスプレイ９２２、キーボード９２４、スピーカ９２６、マイクロフォン９２８、ランダムアクセスメモリ（ＲＡＭ）９３０、短距離通信サブシステム９３２、および、参照番号９３３として包括的にラベルされる任意の他の装置サブシステムなどの、さらなる装置サブシステムを相互接続する。アクセスを制御するために、ＳＩＭ／ＲＵＩＭインターフェース９３４がまた、マイクロプロセッサ９０２と通信して提供される。一実施形態において、ＳＩＭ／ＲＵＩＭインターフェース９３４は、識別および加入者関連データ、ならびに、一つ以上のＳＳＩＤ／ＰＬＭＮリストおよび、上で詳細に記載されたフィルタなどに関連する、多数のキー構成９４４および他の情報９４６を有するＳＩＭ／ＲＵＩＭカードを用いて動作可能である。
【００６２】
オペレーティングシステムソフトウェアおよび他の制御ソフトウェアは、フラッシュメモリ９３５などの、持続性記憶装置モジュール（不揮発性記憶装置）において実施され得る。一実施において、フラッシュメモリ９３５は、異なる領域、例えば、コンピュータプログラム９３６のための領域、および、装置状態９３７などのデータ格納領域、アドレスブック９３９、他の個人情報管理（ＰＩＭ）データ９４１、および参照番号９４３として一般にラベルされる他のデータ格納領域などの、異なる領域に分離され得る。付け加えて、適切なネットワーク発見／選択ロジック９４０は、様々な手順、ＮＡＢ情報獲得技術、および、先行するセクションにおいて説明されるネットワーク選択メカニズムを実行する持続性記憶装置の一部として提供され得る。適切なＤＮＳクエリ、認証、およびＮＡＢ／ＲＢクエリを実施するためのロジックはまた、ロジックモジュール９４５として例示される。それに関連するのは、ＳＳＩＤ／ＰＬＭＮリスト、選択／スキャンフィルタ、性能インジケータなどを格納する格納モジュール９３８であり、上にて詳細に記載された。
【００６３】
本特許出願の実施形態の動作および構成は、上記で説明された詳細な説明から明らかである。図示され詳述された例示的な実施形態は好もしいものとして特徴付けられる一方で、様々な変更および修正が、本請求項において説明される本発明の範囲から逸脱することなく、そこにおいてなされ得ることは容易に理解されるべきである。
【図面の簡単な説明】
【００６４】
【図１】本特許出願開示の実施形態が実施され得る、一般的なネットワーク環境を示す。
【図２】ネットワーク環境の例示的な実施形態を示し、そこでは、無線ユーザ装備（ＵＥ）装置は、本特許出願開示の教示に従う、ネットワーク広告情報を獲得するために動作可能なように配置される。
【図３】本特許出願開示の教示に従う、ネットワーク広告ブローカ（ＮＡＢ）の一部として提供される例示的なデータベース構造を示す。
【図４】一実施形態に従った、ネットワーク広告情報を獲得するための本特許出願開示の例示的なメッセージフロー図を示す。
【図５】別の実施形態に従った、ネットワーク広告情報を獲得するための本特許出願開示の例示的なメッセージフロー図を示す。
【図６】本特許出願開示の一方法に関連するフローチャートである。
【図７】本特許出願開示の教示に従い、ネットワーク選択の優先および禁止を構成可能なように設定するための、動作ベースリスト、ユーザベースリスト、または企業ベースリストとして提供され得る例示的なデータベースを示す。
【図８】図８Ａ〜図８Ｃは、無線ＵＥ装置の動作の構成を容易にするための例示的なデータベース構造を示す。
【図９】本特許出願開示の教示に従い、ネットワーク広告情報を獲得するように動作可能である無線ＵＥ装置の一実施形態のブロック図を示す。
【符号の説明】
【００６５】
１０２  ユーザ装備（ＵＥ）装置
２００  ネットワーク環境
２０２  ＲＡＮセグメント
２０４  ＣＮセグメント
２０６  ＳＮセグメント
２０８−１〜２０８−３  無線アクセスネットワーク（ＲＡＮ）
２１０−１〜２１０−３  無線コアネットワーク（ＣＮ）
２１２−１〜２１２−３  無線サービスネットワーク（ＳＮ）
２１４  ネットワーク広告ブローカ（ＮＡＢ）
２１６  パブリックパケット交換インターネットプロトコル（ＩＰ）ネットワーク
４０６−１〜４０６−Ｎ  ロードキャスト制御チャンネルメッセージ
９４０  ロジックモジュール
９４５  ロジックモジュール
【図１】
0005339485.tif 000004
【図２】
0005339485.tif 000005
【図３】
0005339485.tif 000006
【図４】
0005339485.tif 000007
【図５】
0005339485.tif 000008
【図６】
0005339485.tif 000009
【図７】
0005339485.tif 000010
【図８】
0005339485.tif 000011
【図９】
0005339485.tif 000012